(57)【特許請求の範囲】
【請求項１】
モバイルデバイスによってページングメッセージを受信するための方法であって、
ページングサイクルのページング機会(PO)と前記PO後または前記PO前の持続時間とを含むページングウィンドウを決定するステップと、
ネットワークとの同期のためのシンボルレベル・ネットワークタイミング情報を取得するステップと、
前記シンボルレベル・ネットワークタイミング情報に基づき、前記モバイルデバイスが前記ページングウィンドウ内にあることを決定するステップと、
前記ページングウィンドウにおいてオンデマンドページング手順を実行するステップと
を含み、
前記オンデマンドページング手順を実行するステップが、
前記モバイルデバイスがページングメッセージを受信可能であることを示す、または前記モバイルデバイスのためのページングインジケータメッセージを要求するメッセージを送るステップであって、前記ページングインジケータメッセージが、前記モバイルデバイスのためのページングメッセージが存在するか否かを示す、ステップと、
前記メッセージに応答して、前記ページングインジケータメッセージを受信するステップとを含む、方法。
【請求項２】
前記ページングインジケータメッセージが、物理ダウンリンク制御チャネル(PDCCH)または物理ダウンリンク共有チャネル(PDSCH)を介して受信される、請求項1に記載の方法。
【請求項３】
深いスリープ状態を終了して、前記シンボルレベル・ネットワークタイミング情報を取得するステップと、
前記ページングインジケータメッセージが、前記モバイルデバイスのためのページングメッセージが存在しないことを示す場合に、前記深いスリープ状態に戻るステップと
をさらに含む、請求項1に記載の方法。
【請求項４】
前記終了することが、前記モバイルデバイスにおいて1つまたは複数のタスクを実行するための準備中に行われる、請求項3に記載の方法。
【請求項５】
前記1つまたは複数のタスクを実行することが、モバイル発信(MO)データまたは制御情報を送ることを含み、
前記メッセージが、前記MOデータまたは制御情報内で送信される、請求項4に記載の方法。
【請求項６】
前記モバイルデバイスのためのページングメッセージが存在することを前記ページングインジケータメッセージが示す場合、前記ネットワーク内で接続手順を実行し、前記ページングメッセージを受信するステップをさらに備える、請求項1に記載の方法。
【請求項７】
前記ページングメッセージに関連するデータに関するスケジューリング情報、または前記ページングメッセージに関連するデータのうちの少なくとも1つを前記ページングインジケータメッセージとともに受信するステップをさらに備える、請求項6に記載の方法。
【請求項８】
前記メッセージが、前記モバイルデバイスから発信されるデータまたは制御情報のうちの少なくとも1つとともに送信される、請求項1に記載の方法。
【請求項９】
能力情報を提供するステップをさらに含み、前記能力情報が、ページングインジケータメッセージが前記メッセージに応答して送られるべきであるか否かを示す、請求項1に記載の方法。
【請求項１０】
前記能力情報が、能力メッセージ内で提供される、請求項9に記載の方法。
【請求項１１】
前記能力情報が、登録メッセージ内で提供される、請求項9に記載の方法。
【請求項１２】
前記モバイルデバイスのためにバッファリングされる前記ページングメッセージのための許容可能な待ち時間の指示を前記能力情報とともに提供するステップをさらに含む、請求項9に記載の方法。
【請求項１３】
前記メッセージに応答してページングインジケータメッセージが送られることを示す指示を前記ネットワークから受信するステップをさらに備える、請求項1に記載の方法。
【請求項１４】
前記ページングウィンドウの周期性または長さのうちの少なくとも1つが、前記モバイルデバイスのための前記ページングメッセージが前記ネットワークにおけるバッファ内に保持される許容可能な待ち時間に依存する、請求項1に記載の方法。
【請求項１５】
前記モバイルデバイスが、前記メッセージが前記許容可能な待ち時間内に送られることを保証するためにタイマを維持するように構成された、請求項14に記載の方法。
【請求項１６】
前記モバイルデバイスが、現在のページングウィンドウに基づいて次のページングウィンドウを決定するように構成された、請求項1に記載の方法。
【請求項１７】
前記モバイルデバイスが前記ページングウィンドウ内にあることを決定するステップが、最後のメッセージを送信してからしきい値時間経過したと決定するステップを含む、請求項1に記載の方法。
【請求項１８】
前記モバイルデバイスが前記ページングウィンドウ内にあると決定するステップが、
前記モバイルデバイスの同期レベルに関連する最悪の場合のタイミングドリフトと前記POの時間とに基づき、前記ページングウィンドウを定義するステップと、
内部タイマをチェックし、前記モバイルデバイスが前記定義されたページングウィンドウ内にあるか否かを決定するステップと
を含む、請求項1に記載の方法。
【請求項１９】
前記ページングサイクルを決定した後に、前記POのうちの1つの発生時間を決定するステップと、
深いスリープ状態に入るステップと、
前記POの前記決定された発生時間をターゲットとする持続時間後に前記深いスリープ状態を終了し、前記シンボルレベル・ネットワークタイミング情報を取得するステップと
をさらに含む、請求項1に記載の方法。
【請求項２０】
基地局(BS)によってモバイルデバイスにページングするための方法であって、
前記モバイルデバイスがページングメッセージを受信可能であることを示す、または前記モバイルデバイスのためのページングインジケータメッセージを要求するメッセージを、オンデマンドページング手順が実行されるページングウィンドウ内で、前記モバイルデバイスから受信するステップであって、前記ページングウィンドウが、ページングサイクルのページング機会(PO)と前記PO前または前記PO後の持続時間とを含む、ステップと、
前記メッセージに応答して、前記ページングウィンドウ内でページングインジケータメッセージを前記モバイルデバイスに提供するステップであって、前記ページングインジケータメッセージは、前記モバイルデバイスのためのページングメッセージが存在するか否かを示す、ステップと
を含む、方法。
【請求項２１】
前記メッセージが、前記モバイルデバイスから発信されたデータとともに受信される、請求項20に記載の方法。
【請求項２２】
前記モバイルデバイスのためのページングメッセージをネットワークノードから受信するステップと、
しきい値持続時間の間、または前記メッセージが前記モバイルデバイスから受信されるまで、前記ページングメッセージをバッファリングするステップと
をさらに含む、請求項20に記載の方法。
【請求項２３】
前記しきい値持続時間が、前記ページングメッセージ内で示される、請求項22に記載の方法。
【請求項２４】
前記しきい値持続時間が、運用、管理、および保守(OAM)機能によって構成される、請求項22に記載の方法。
【請求項２５】
前記しきい値持続時間が、能力情報内で示される、請求項22に記載の方法。
【請求項２６】
前記モバイルデバイスが前記メッセージに応答してページングメッセージを受信するべきことを決定するステップをさらに備える、請求項20に記載の方法。
【請求項２７】
前記決定が、前記ページングメッセージ内の指示に基づいて行われる、請求項26に記載の方法。
【請求項２８】
前記決定が、前記モバイルデバイスから受信される能力情報における指示に基づいて行われる、請求項26に記載の方法。
【請求項２９】
前記能力情報が、能力メッセージ内で受信される、請求項28に記載の方法。
【請求項３０】
前記能力情報が、登録メッセージ内で受信される、請求項28に記載の方法。
【請求項３１】
ページングインジケータメッセージが前記メッセージに応答してオンデマンドで送られることを示す指示を前記モバイルデバイスに送るステップをさらに含む、請求項20に記載の方法。
【請求項３２】
前記ページングインジケータメッセージは、前記メッセージが受信されるときに対して固定された遅延後に、送られる、請求項20に記載の方法。
【請求項３３】
ネットワークノードによる方法であって、
ページングウィンドウ内でモバイルデバイスに送達されるべきページングメッセージを基地局に送るステップであって、前記ページングウィンドウが、ページングサイクルのページング機会(PO)と前記PO前または前記PO後の持続時間とを含む、ステップと、
オンデマンドページング手順が、前記モバイルデバイスに前記ページングメッセージを送達するために実行されるべきであることを示す指示を前記基地局に提供するステップであって、前記オンデマンドページング手順を実行することが、
前記ページングウィンドウ内における前記モバイルデバイスからのメッセージであって、前記モバイルデバイスがページングメッセージを受信可能であることを示す、または前記モバイルデバイスのためのページングインジケータメッセージを要求するメッセージに応答して、ページングインジケータメッセージを前記モバイルデバイスに送達することを含む、ステップと
を含む、方法。
【請求項３４】
前記ページングメッセージが前記基地局にバッファリングされるべきしきい値持続時間の指示を提供するステップをさらに含む、請求項33に記載の方法。
【請求項３５】
ページングメッセージを受信するための装置であって、
ページング機会(PO)と前記PO後または前記PO前の持続時間とを含むページングウィンドウを決定するための手段と、
ネットワークとの同期のためのシンボルレベル・ネットワークタイミング情報を取得するための手段と、
前記シンボルレベル・ネットワークタイミング情報に基づき、前記装置が前記ページングウィンドウ内にあることを決定するための手段と、
前記ページングウィンドウにおいてオンデマンドページング手順を実行するための手段と
を含み、前記オンデマンドページング手順を実行するための手段が、
前記装置がページングメッセージを受信可能であることを示す、または前記装置のためのページングインジケータメッセージを要求するメッセージを送るための手段と、
前記メッセージに応答して、前記ページングインジケータメッセージを受信するための手段と
を含む、装置。
【請求項３６】
深いスリープ状態を終了して、前記シンボルレベル・ネットワークタイミング情報を取得するための手段と、
前記ページングインジケータメッセージが、前記装置のためのページングメッセージが存在しないことを示す場合に、前記深いスリープ状態に戻るための手段と
をさらに含む、請求項35に記載の装置。
【請求項３７】
ページングインジケータメッセージが前記メッセージに応答して送られることを示す指示を前記ネットワークから受信するための手段をさらに含む、請求項35に記載の装置。
【請求項３８】
前記ページングウィンドウの周期性または長さのうちの1つが、前記装置のための前記ページングメッセージが前記ネットワークにおけるバッファ内に保持される許容可能な待ち時間に依存し、
前記装置が、前記ページングインジケータメッセージが前記許容可能な待ち時間内に送られることを保証するためにタイマを維持するための手段をさらに含む、請求項35に記載の装置。
【請求項３９】
前記装置が、現在のページングウィンドウに基づいて次のページングウィンドウを決定するための手段をさらに含む、請求項35に記載の装置。
【請求項４０】
前記装置がページングウィンドウ内にあることを決定するための手段が、最後のメッセージを送信してからしきい値時間経過したと決定するための手段を含む、請求項35に記載の装置。
【請求項４１】
モバイルデバイスにページングするための装置であって、
前記モバイルデバイスがページングメッセージを受信可能であることを示す、または前記モバイルデバイスのためのページングインジケータメッセージを要求するメッセージを、オンデマンドページング手順が実行されるページングウィンドウ内で、前記モバイルデバイスから受信するための手段であって、前記ページングウィンドウが、ページングサイクルのページング機会(PO)と前記PO前または前記PO後の持続時間とを含む、手段と、
前記メッセージに応答して、前記ページングウィンドウ内でページングインジケータメッセージを提供するための手段であって、前記ページングインジケータメッセージは、前記モバイルデバイスのためのページングメッセージが存在するか否かを示す、手段と
を含む、装置。
【請求項４２】
ネットワークノードから、前記モバイルデバイスのためのページングメッセージを受信するための手段と、
しきい値持続時間の間、または前記メッセージが前記モバイルデバイスから受信されるまで、前記ページングメッセージをバッファリングするための手段と
をさらに含む、請求項41に記載の装置。
【請求項４３】
ページングインジケータメッセージが前記メッセージに応答してオンデマンドで提供されるべきことを決定するための手段であって、前記決定が、前記ページングメッセージ内の指示に基づく、請求項41に記載の装置。
【請求項４４】
ページングメッセージが前記メッセージに応答してオンデマンドで送られるべきことを示す指示を前記モバイルデバイスに送るための手段をさらに含む、請求項41に記載の装置。
【請求項４５】
ページングウィンドウ内でモバイルデバイスに送達されるべきページングメッセージを基地局に送るための手段であって、前記ページングウィンドウが、ページングサイクルのページング機会(PO)と前記PO前または前記PO後の持続時間とを含む、手段と、
オンデマンドページング手順が、前記モバイルデバイスに前記ページングメッセージを送達するために実行されるべきであることを示す指示を前記基地局に提供するための手段であって、前記オンデマンドページング手順を実行することが、
前記ページングウィンドウ内における前記モバイルデバイスからのメッセージをであって、前記モバイルデバイスがページングメッセージを受信可能であることを示す、または前記モバイルデバイスのためのページングインジケータメッセージを要求するメッセージに応答して、ページングインジケータメッセージを前記モバイルデバイスに送達することを含む、手段と
を含む、装置。
【請求項４６】
ページングメッセージを受信するための装置であって、
受信機と、
送信機と、
メモリに結合された少なくとも1つのプロセッサとを備え、前記プロセッサが、
ページング機会(PO)と前記PO後または前記PO前の持続時間とを含むページングウィンドウを決定することと、
ネットワークとの同期のためのシンボルレベル・ネットワークタイミング情報を取得することと、
前記シンボルレベル・ネットワークタイミング情報に基づき、前記装置が前記ページングウィンドウ内にあることを決定することと、
前記ページングウィンドウにおいてオンデマンドページング手順を実行することとを行うように構成され、前記オンデマンドページング手順を実行することが、
前記装置がページングメッセージを受信可能であることを示す、または前記装置のためのページングインジケータメッセージを要求するメッセージを前記送信機を介して送ることと、
前記メッセージに応答して、前記ページングインジケータメッセージを前記受信機を介して受信することとを含む、装置。
【請求項４７】
前記少なくとも1つのプロセッサが、現在のページングウィンドウに基づいて次のページングウィンドウを決定するように構成された、請求項46に記載の装置。
【請求項４８】
前記少なくとも1つのプロセッサが、最後のメッセージを送信してからしきい値時間経過したと決定することによって、前記装置が前記ページングウィンドウ内にあると決定するように構成された、請求項46に記載の装置。
【請求項４９】
モバイルデバイスにページングするための装置であって、
前記モバイルデバイスがページングメッセージを受信可能であることを示す、または前記モバイルデバイスのためのページングインジケータメッセージを要求するメッセージを、オンデマンドページング手順が実行されるページングウィンドウ内で、前記モバイルデバイスから受信するように構成された受信機であって、前記ページングウィンドウが、ページングサイクルのページング機会(PO)と前記PO前または前記PO後の持続時間とを含む、受信機と、
メモリに結合された少なくとも1つのプロセッサであって、前記モバイルデバイスのためのページングメッセージが存在するか否かを示すページングインジケータメッセージを、前記ページングウィンドウ内で提供するように構成された、少なくとも1つのプロセッサと
を含む、装置。
【請求項５０】
ページングインジケータメッセージが前記メッセージに応答してオンデマンドで送られることを示す指示を前記モバイルデバイスに送るように構成された送信機をさらに含む、請求項49に記載の装置。
【請求項５１】
ページングウィンドウ内でモバイルデバイスに送達されるべきページングメッセージを基地局に送るように構成された送信機であって、前記ページングウィンドウが、ページングサイクルのページング機会(PO)と前記PO前または前記PO後の持続時間とを含む、送信機と、
メモリに結合された少なくとも1つのプロセッサであって、オンデマンドページング手順が、前記モバイルデバイスに前記ページングメッセージを送達するために実行されるべきことを示す指示を前記基地局に提供するように構成された少なくとも1つのプロセッサと
を含み、前記オンデマンドページング手順を実行することが、
前記ページングウィンドウ内における前記モバイルデバイスからのメッセージであって、前記モバイルデバイスがページングメッセージを受信可能であることを示す、または前記モバイルデバイスのためのページングインジケータメッセージを要求するメッセージに応答して、ページングインジケータメッセージを前記モバイルデバイスに送達することを含む、装置。
【請求項５２】
コンピュータ実行可能コードを有するコンピュータ可読記録媒体であって、前記コンピュータ実行可能コードが、
ページング機会(PO)と前記PO後または前記PO前の持続時間とを含むページングウィンドウを決定するためのコードと、
ネットワークとの同期のためのシンボルレベル・ネットワークタイミング情報を取得するためのコードと、
前記シンボルレベル・ネットワークタイミング情報に基づき、モバイルデバイスが前記ページングウィンドウ内にあることを決定するためのコードと、
前記ページングウィンドウにおいてオンデマンドページング手順を実行するためのコードと
を含み、前記オンデマンドページング手順を実行することが、
前記モバイルデバイスがページングメッセージを受信可能であることを示す、または前記モバイルデバイスのためのページングインジケータメッセージを要求するメッセージを送ることであって、前記ページングインジケータメッセージが、前記モバイルデバイスのためのページングメッセージが存在するか否かを示す、ことと、
前記メッセージに応答して、前記ページングインジケータメッセージを受信することと
を含む、コンピュータ可読記録媒体。
【請求項５３】
コンピュータ実行可能コードを有するコンピュータ可読記録媒体であって、前記コンピュータ実行可能コードが、
モバイルデバイスがページングメッセージを受信可能であることを示す、または前記モバイルデバイスのためのページングインジケータメッセージを要求するメッセージを、オンデマンドページング手順が実行されるページングウィンドウ内で、前記モバイルデバイスから受信するためのコードであって、前記ページングウィンドウが、ページングサイクルのページング機会(PO)と前記PO前または前記PO後の持続時間とを含む、コードと、
前記メッセージに応答して、前記ページングウィンドウ内でページングインジケータメッセージを前記モバイルデバイスに提供するためのコードであって、前記ページングインジケータメッセージは、前記モバイルデバイスのためのページングメッセージが存在するか否かを示す、コードと
を含む、コンピュータ可読記録媒体。
【請求項５４】
コンピュータ実行可能コードを有するコンピュータ可読記録媒体であって、前記コンピュータ実行可能コード、
ページングウィンドウ内でモバイルデバイスに送達されるべきページングメッセージを基地局に送るためのコードであって、前記ページングウィンドウが、ページングサイクルのページング機会(PO)と前記PO前または前記PO後の持続時間とを含む、コードと、
オンデマンドページング手順が、前記モバイルデバイスに前記ページングメッセージを送達するために実行されるべきであることを示す指示を前記基地局に提供するためのコードと
を含み、前記オンデマンドページング手順を実行することが、
前記ページングウィンドウ内における前記モバイルデバイスからのメッセージであって、前記モバイルデバイスがページングメッセージを受信可能であることを示す、または前記モバイルデバイスのためのページングインジケータメッセージを要求するメッセージに応答して、ページングインジケータメッセージを前記モバイルデバイスに送達することを含む、コンピュータ可読記録媒体。
【発明の詳細な説明】
【技術分野】
【０００１】
関連出願の相互参照
本出願は、2015年3月15日に出願した米国仮特許出願第62/133,381号の優先権および利益を主張する2015年8月26日に出願した米国特許出願第14/836,435号の優先権を主張するものであり、それらの両方は、参照によりそれらの全体において本明細書に組み込まれる。
【０００２】
本開示の特定の態様は、全体的には、モバイルデバイスがページングメッセージをポーリングするオンデマンドページングを実行するための方法および装置に関する。
【背景技術】
【０００３】
ワイヤレス通信システムは、音声、データなどの様々なタイプの通信コンテンツを提供するために広く展開されている。これらのシステムは、利用可能なシステムリソース(たとえば、帯域幅および送信電力)を共有することによって、複数のユーザとの通信をサポートすることができる多元接続システムであり得る。そのような多元接続システムの例は、符号分割多元接続(CDMA)システム、時分割多元接続(TDMA)システム、周波数分割多元接続(FDMA)システム、第3世代パートナーシッププロジェクト(3GPP)ロングタームエボリューション(LTE)システム、ロングタームエボリューションアドバンスト(LTE-A)システム、直交周波数分割多元接続(OFDMA)システムを含む。
【０００４】
一般に、ワイヤレス多元接続通信システムは、複数のワイヤレス端末のための通信を同時にサポートすることができる。各端末は、順方向および逆方向のリンク上の送信を介して1つまたは複数の基地局と通信する。順方向リンク(またはダウンリンク)は、基地局から端末までの通信リンクを指し、逆方向リンク(またはアップリンク)は、端末から基地局までの通信リンクを指す。この通信リンクは、単入力単出力、多入力単出力、または多入力多出力(MIMO)システムを介して確立することができる。
【０００５】
すべてのインターネット(IoE:Internet-of-Everything)などの機械型通信(MTC:machine-type communication)を実行する特定のタイプのデバイスは、大部分の時間パワーダウンされ得る。たとえば、そのようなデバイスは、長いスリープサイクル(たとえば、1日に数回データを受信または送信するためにウェイクアップする)によって分離されたまばらな通信を有することができる。
【０００６】
現在のタイプのデバイスは、デバイスをターゲットにするデータが存在することを示すページングメッセージを受信するためにデバイスがアウェイクしなければならない周期的な「ページング機会」に基づいてページングチャネルを監視する。そのようなページングインジケータは、割り振られたタイムスロットで正確に発生する。この厳しいタイミング要件は、いくつかの非効率をもたらす場合があり、たとえば、フレームレベルおよび/またはハイパーフレームレベルの同期を得るために追加の時間および/またはエネルギーを必要とし、ことによると、電力を消費する余分なウェイクアップを必要とする。一般に、そのようなページング方式は、IoEデバイスが理想的に使用し得る非同期非直交アクセスの概念を妨げる。
【発明の概要】
【課題を解決するための手段】
【０００７】
本開示のシステム、方法、およびデバイスは、いくつかの態様をそれぞれ有し、それらのうちの単一の態様だけが、その望ましい属性を担うわけではない。以下の特許請求の範囲によって表される本開示の範囲を限定することなく、いくつかの特徴についてここで簡単に議論する。この議論を考慮した後、また特に「発明を実施するための形態」と題するセクションを読んだ後、本開示の特徴が、ワイヤレスネットワーク内のアクセスポイントと局との間の改善された通信を含む利点をどのようにもたらすかが理解されよう。
【０００８】
本開示の特定の態様は、ネットワーク内のモバイルデバイスによるワイヤレス通信のための方法を提供する。方法は、全体として、ネットワーク時間を取得するステップと、ネットワーク時間または内部タイマに基づいて、モバイルデバイスがページングメッセージを受信することができるページングウィンドウ内にモバイルデバイスがあることを決定するステップと、決定に応答して指示メッセージを送るステップとを含む。
【０００９】
本開示の特定の態様は、ネットワーク内のノードによってワイヤレスデバイスをページングするための方法を提供する。方法は、全体として、モバイルデバイスがページングメッセージを受信することができることを示す指示メッセージをモバイルデバイスから受信するステップと、指示メッセージに応答して、モバイルデバイスのためのページングメッセージが存在するかどうかの指示を提供するステップとを含む。
【００１０】
本開示の特定の態様は、ネットワーク内のノードによってワイヤレスデバイスをページングするための方法を提供する。方法は、全体として、モバイルデバイスに送達されるべきページングメッセージを基地局に送るステップと、モバイルデバイスからの問合せメッセージに応答してページングメッセージが送達されるべきかどうかの指示を提供するステップとを含む。
【００１１】
本開示の特定の態様は、ネットワーク内のモバイルデバイスによるワイヤレス通信のための装置を提供する。装置は、全体として、ネットワーク時間を取得し、ネットワーク時間または内部タイマに基づいて、モバイルデバイスがページングメッセージを受信することができるページングウィンドウ内にモバイルデバイスがあることを決定するための手段と、決定に応答して指示メッセージを送るための手段とを含む。
【００１２】
本開示の特定の態様は、ネットワーク内のノードによってワイヤレスデバイスをページングするための装置を提供する。装置は、全体として、モバイルデバイスがページングメッセージを受信することができることを示す指示メッセージをモバイルデバイスから受信するための手段と、指示メッセージに応答して、モバイルデバイスのためのページングメッセージが存在するかどうかの指示を提供するための手段とを含む。
【００１３】
本開示の特定の態様は、ネットワーク内のノードによってワイヤレスデバイスをページングするための装置を提供する。装置は、全体として、モバイルデバイスに送達されるべきページングメッセージを基地局に送るための手段と、モバイルデバイスからの問合せメッセージに応答してページングメッセージが送達されるべきかどうかの指示を提供するための手段とを含む。
【００１４】
本開示の特定の態様は、ネットワーク内のモバイルデバイスによるワイヤレス通信のための装置を提供する。装置は、全体として、ネットワーク時間を取得し、ネットワーク時間または内部タイマに基づいて、モバイルデバイスがページングメッセージを受信することができるページングウィンドウ内にモバイルデバイスがあることを決定するように構成された少なくとも1つのプロセッサと、決定に応答して指示メッセージを送るように構成された送信機とを含む。
【００１５】
本開示の特定の態様は、ネットワーク内のノードによってワイヤレスデバイスをページングするための装置を提供する。装置は、全体として、モバイルデバイスがページングメッセージを受信することができることを示す指示メッセージをモバイルデバイスから受信するように構成された受信機と、指示メッセージに応答して、モバイルデバイスのためのページングメッセージが存在するかどうかの指示を提供するように構成された少なくとも1つのプロセッサとを含む。
【００１６】
本開示の特定の態様は、ネットワーク内のノードによってワイヤレスデバイスをページングするための装置を提供する。装置は、全体として、モバイルデバイスに送達されるべきページングメッセージを基地局に送るように構成された送信機と、モバイルデバイスからの問合せメッセージに応答してページングメッセージが送達されるべきかどうかの指示を提供するように構成された少なくとも1つのプロセッサとを含む。
【００１７】
本開示の特定の態様は、コンピュータ可読媒体を提供する。コンピュータ可読媒体は、全体として、ネットワーク時間を取得し、ネットワーク時間または内部タイマに基づいて、モバイルデバイスがページングメッセージを受信することができるページングウィンドウ内にモバイルデバイスがあることを決定し、決定に応答して指示メッセージを送るための、コンピュータ可読媒体上に記憶されたコンピュータ実行可能コードを含む。
【００１８】
本開示の特定の態様は、コンピュータ可読媒体を提供する。コンピュータ可読媒体は、全体として、モバイルデバイスがページングメッセージを受信することができることを示す指示メッセージをモバイルデバイスから受信し、指示メッセージに応答して、モバイルデバイスのためのページングメッセージが存在するかどうかの指示を提供するための、コンピュータ可読媒体上に記憶されたコンピュータ実行可能コードを含む。
【００１９】
本開示の特定の態様は、コンピュータ可読媒体を提供する。コンピュータ可読媒体は、全体として、モバイルデバイスに送達されるべきページングメッセージを基地局に送り、モバイルデバイスからの問合せメッセージに応答してページングメッセージが送達されるべきかどうかの指示を提供するための、コンピュータ可読媒体に記憶されたコンピュータ実行可能コードを含む。
【００２０】
上述の目的および関連する目的を達成するために、1つまたは複数の態様は、以下で十分に説明され、特に特許請求の範囲で指摘される特徴を備える。以下の説明および添付の図面には、1つまたは複数の態様のいくつかの例示的な特徴が詳細に記載されている。しかしながら、これらの特徴は、様々な態様の原則が用いられ得る様々な方法のうちのほんのいくつかを示し、本開示は、すべてのそのような態様およびそれらの均等物を含むことが意図される。
【００２１】
本開示の上記の特徴が詳細に理解され得るように、上記で簡潔に要約されたより具体的な説明が、そのいくつかが添付図面において示された態様への参照によってなされ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００２２】
【図１】本開示の特定の態様による例示的な多元接続ワイヤレス通信システムを示す図である。
【図２】本開示の特定の態様による基地局およびワイヤレスノードのブロック図である。
【図３】本開示の特定の態様による、ワイヤレスデバイスにおいて利用され得る様々な構成要素を示す図である。
【図４】本開示の特定の態様による、ページング機会(PO)に基づく例示的なページング方式を示す送信タイムラインである。
【図５】本開示の特定の態様による、モバイルデバイスによるオンデマンドページングのための例示的な動作を示す図である。
【図６】本開示の特定の態様による、ネットワークノードによるモバイルデバイスのオンデマンドページングのための例示的な動作を示す図である。
【図７】本開示の特定の態様による、ネットワークノードによるモバイルデバイスのオンデマンドページングのための例示的な動作を示す図である。
【図８】本開示の特定の態様による、例示的なオンデマンドページング方式を示す送信タイムラインである。
【図９】本開示の特定の態様による、モバイルデバイスによるオンデマンドページングの例示的なフロー図である。
【図１０】本開示の特定の態様による、モバイルデバイスによるオンデマンドページングを示す別の例示的なフロー図である。
【図１１】本開示の特定の態様による、オンデマンドページングのためのロングタームエボリューション(LTE)登録手順を示す例示的なコールフロー図である。
【図１２】本開示の特定の態様による、オンデマンドページングのためのユーザ機器(UE)能力手順を示す例示的なコールフロー図である。
【図１３】本開示の特定の態様による、ページングおよびサービス要求手順を示す例示的なコールフロー図である。
【図１４】本開示の特定の態様による、オンデマンドページングのためのページングおよびサービス要求手順を示す別の例示的なコールフロー図である。
【発明を実施するための形態】
【００２３】
理解を促すために、可能な場合、図面に共通する同一要素を指すために、同一の参照番号が使用されている。1つの実施形態において開示される要素は、特定の記載なしに他の実施形態において有利に利用され得ることが企図される。
【００２４】
本開示の態様は、モバイルデバイスの柔軟なページングを提供することができ、モバイルデバイスが周期的なページング機会への厳密な固守に従うのではなく、「オンデマンド」でページングされることを可能にすることができる技法を提供する。結果として、深いスリープサイクルを有するモバイルデバイスは、1つまたは複数の不必要なウェイクアップサイクルを回避することによって、電力を節約することができる可能性がある。
【００２５】
本開示の様々な態様について、添付図面を参照して以下により完全に説明する。しかしながら、本開示は、多くの異なる形態で具現化されてもよいので、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書における教示に基づいて、当業者は、本開示の範囲が、本開示の任意の他の態様とは独立に実施されるか、または本開示の任意の他の態様と組み合わされるかにかかわらず、本明細書で開示される開示の任意の態様を包含することを認識すべきである。たとえば、装置は、本明細書に記載の任意の数の態様を使用して実装されてもよく、または、方法は、本明細書に記載の任意の数の態様を使用して実施されてもよい。加えて、本開示の範囲は、本明細書に記載の開示の様々な態様に加えて、またはそれ以外の他の構造、機能、または構造および機能を使用して実施されるそのような装置または方法を包含することが意図される。本明細書で開示される開示の任意の態様は、請求項の1つまたは複数の要素によって具体化され得ることが理解されるべきである。
【００２６】
「例示的」という語は、本明細書では、「例、事例、または例示として役立つ」ことを意味するために使用される。本明細書で「例示的」として記載される任意の態様は、必ずしも他の態様よりも好ましいまたは有利であると解釈されるべきではない。
【００２７】
特定の態様について本明細書で説明するが、これらの態様の多くの変形および置換が本開示の範囲内に入る。好ましい態様のいくつかの利益および利点について述べるが、本開示の範囲は、特定の利益、用途、または目的に限定されるものではない。むしろ、本開示の態様は、異なるワイヤレス技術、システム構成、ネットワーク、および送信プロトコルに広く適用可能であることが意図され、そのいくつかは、図面および好ましい態様の以下の説明において例として示される。詳細な説明および図面は、限定ではなく、本開示の単なる例示であり、本開示の範囲は、添付の特許請求の範囲およびその均等物によって定義される。
【００２８】
本明細書で説明する技法は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワークなどの様々なワイヤレス通信ネットワークのために使用され得る。「ネットワーク」および「システム」という用語は、しばしば互換的に使用される。CDMAネットワークは、ユニバーサル地上無線アクセス(UTRA)、CDMA2000などの無線技術を実装することができる。UTRAは、広帯域CDMA(W-CDMA)と低チップレート(LCR:Low Chip Rate)とを含む。CDMA2000は、IS-2000規格と、IS-95規格と、IS-856規格とを包含する。TDMAネットワークは、グローバルシステムフォーモバイルコミュニケーションズ(GSM（登録商標）)を実装することができる。OFDMAネットワークは、進化型UTRA(E-UTRA)、IEEE 802.11、IEEE 802.16、IEEE 802.20、フラッシュOFDM(登録商標)などの無線技術を実装することができる。UTRA、E-UTRA、およびGSM（登録商標）は、ユニバーサルモバイル通信システム(Universal Mobile Telecommunication System)(UMTS)の一部である。ロングタームエボリューション(Long Term Evolution)(LTE)は、E-UTRAを使用するUMTSのリリースである。UTRA、E-UTRA、GSM（登録商標）、UMTS、およびLTEは、「第3世代パートナーシッププロジェクト」(3GPP)と名付けられた組織からの文書に記載されている。CDMA2000は、「第3世代パートナーシッププロジェクト2」(3GPP2)と名付けられた組織からの文書に記載されている。これらの通信ネットワークは、本開示で説明される技法が適用され得るネットワークの例として列挙されているに過ぎず、本開示は、上記で説明した通信ネットワークに限定されない。
【００２９】
シングルキャリア周波数分割多元接続(SC-FDMA)は、送信機側におけるシングルキャリア変調と、受信機側における周波数領域等化とを利用する送信技術である。SC-FDMAは、OFDMAシステムのものと類似の性能、および本質的に同じ全体的な複雑さを有する。しかしながら、SC-FDMA信号は、その固有のシングルキャリア構造のために、より低いピーク対平均電力比(PAPR)を有する。SC-FDMAは、特に、より低いPAPRが送信電力効率の観点からモバイル端末に大きな利益をもたらすアップリンク(UL)通信において大きな注目を集めている。
【００３０】
アクセスポイント(「AP」)は、NodeB、無線ネットワークコントローラ(「RNC」)、eNodeB(eNB)、基地局コントローラ(「BSC」)、基地トランシーバ局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、または他の専門用語を備えることができ、これらとして実装されてもよく、これらとして知られる場合がある。場合によっては、(たとえば、メッシュネットワーク内の)エンドデバイスは、UEと同様に挙動し得るが、基地局に中継する(またはホップする)別のノードと通信することができる。そのようなデバイスは、フルフィーチャデバイス(FDD: full-feature device)および/またはパーソナルエリアネットワーク(PAN)コントローラと呼ばれる場合がある。いずれの場合にも、そのようなノードは、本明細書で説明するオンデマンドページングの「ネットワーク側」プロトコルをサポートすることもできる。
【００３１】
アクセス端末(「AT」)は、アクセス端末、加入者局、加入者ユニット、移動局、遠隔局、遠隔端末、ユーザ端末、ユーザエージェント、ユーザデバイス、ユーザ機器(UE)、ユーザ局、ワイヤレスノード、またはなにか他の専門用語を備えることができ、これらとして実装されてもよく、これらとして知られる場合がある。いくつかの実装形態では、アクセス端末は、セルラー電話、スマートフォン、コードレス電話、セッション開始プロトコル(「SIP」)電話、ワイヤレスローカルループ(「WLL」)局、携帯情報端末(「PDA」)、タブレット、ネットブック、スマートブック、ウルトラブック、ワイヤレス接続機能を有するハンドヘルドデバイス、局(「STA」)、または、ワイヤレスモデムに接続されたなにか他の適切な処理デバイスを備えることができる。したがって、本明細書で教示する1つまたは複数の態様は、電話(たとえば、セルラー電話、スマートフォン)、コンピュータ(たとえば、デスクトップ)、ポータブル通信デバイス、ポータブルコンピューティングデバイス(たとえば、ラップトップ、携帯情報端末、タブレット、ネットブック、スマートブック、ウルトラブック)、娯楽デバイス(たとえば、音楽もしくはビデオデバイス、もしくは衛星ラジオ)、車両構成要素、全地球測位システムデバイス、または、ワイヤレスもしくは有線媒体を介して通信するように構成された任意の他の適切なデバイスに組み込まれ得る。いくつかの態様では、ノードはワイヤレスノードである。そのようなワイヤレスノードは、たとえば、有線またはワイヤレス通信リンクを介してネットワーク(たとえば、インターネットまたはセルラーネットワークなどのワイドエリアネットワーク)への接続性、またはそれらのための接続性を提供することができる。
【００３２】
例示的なワイヤレス通信システム
図1は、本開示の態様が実行され得る例示的な通信ネットワークを示す。たとえば、本明細書において提示する技法は、異なる優先順位レベルを有する様々なデバイス間でリソースの共通セットを共有するのを助けるために使用され得る。一態様では、IoEデバイス136は、ネットワーク時間を取得し、ネットワーク時間または内部タイマに基づいて、IoEデバイス136が(たとえば、基地局(BS)100からの)ページングメッセージを受信することができるページングウィンドウ内にIoEデバイス136があることを決定することができる。IoEデバイス136は、決定に応答して指示メッセージを(たとえば、BS100に)送ることができる。
【００３３】
図1を参照すると、一態様による多元接続ワイヤレス通信システムが示されている。BS100は、複数のアンテナグループを含むことができ、1つのグループは、アンテナ104および106を含み、別のグループは、アンテナ108および110を含み、追加のグループは、アンテナ112および114を含む。図1において、各アンテナグループについて2つのアンテナのみが示されているが、各アンテナグループについてより多くのまたはより少ないアンテナが利用され得る。ワイヤレスノード116は、アンテナ112および114と通信することができ、アンテナ112および112は、順方向リンク120を介してワイヤレスノード116に情報を送信し、逆方向リンク118を介してワイヤレスノード116から情報を受信する。ワイヤレスノード122は、アンテナ106および108と通信することができ、アンテナ106および108は、順方向リンク126を介してワイヤレスノード122に情報を送信し、逆方向リンク124を介してワイヤレスノード122から情報を受信する。BS100は、たとえば、すべてのインターネット(IoE)デバイスであり得る他のワイヤレスノードとも通信することができる。IoEデバイス136は、BS100の1つまたは複数の他のアンテナと通信することができ、アンテナは、順方向リンク140を介してIoEデバイス136に情報を送信し、逆方向リンク138を介してIoEデバイス136から情報を受信する。IoEデバイス142は、BS100の1つまたは複数の他のアンテナと通信することができ、アンテナは、順方向リンク146を介してIoEデバイス142に情報を送信し、逆方向リンク144を介してIoEデバイス142から情報を受信する。周波数分割複信(FDD)システムでは、通信リンク118、120、124、126、138、140、144、および146は、通信のために異なる周波数を使用することができる。たとえば、順方向リンク120は、逆方向リンク118によって使用される周波数とは異なる周波数を使用することができ、順方向リンク140は、逆方向リンク138によって使用される周波数とは異なる周波数を使用することができる。
【００３４】
各アンテナのグループ、および/またはそれらが通信するように設計されたエリアは、しばしばBSのセクタと呼ばれる。本開示の一態様では、各アンテナグループは、アクセスポイント100によってカバーされるエリアのセクタ内のワイヤレスノードと通信するように設計され得る。
【００３５】
ワイヤレスノード130は、BS100と通信することができ、BS100からのアンテナは、順方向リンク132を介してワイヤレスノード130に情報を送信し、逆方向リンク134を介してワイヤレスノード130から情報を受信する。
【００３６】
順方向リンク120および126を介する通信において、BS100の送信アンテナは、異なるワイヤレスノード116、122、136、および142のための順方向リンクの信号対雑音比を改善するために、ビームフォーミングを利用することができる。加えて、そのカバレッジを通じてランダムに点在するワイヤレスノードに送信するためにビームフォーミングを使用するBSは、単一のアンテナを介してすべてのそのワイヤレスノードに送信するBSよりも、隣接セル内の端末にアクセスするためにより少ない干渉を引き起こす。
【００３７】
図2は、多入力多出力(MIMO)システム200内の送信機システム210(たとえば、アクセスポイントとしても知られる)および受信機システム250(たとえば、アクセス端末としても知られる)の態様のブロック図を示す。システム210およびシステム250の各々は、送信と受信の両方の能力を有する。システム210またはシステム250が送信するのか、受信するのか、または同時に送信および受信するのかは、アプリケーションに依存する。送信機システム210において、いくつかのデータストリームに関するトラフィックデータは、データソース212から送信(TX)データプロセッサ214に提供される。
【００３８】
本開示の一態様において、各データストリームは、それぞれの送信アンテナを介して送信され得る。TXデータプロセッサ214は、各データストリームのトラフィックデータを、そのデータストリームについて選択された特定のコーディング方式に基づいて、フォーマットし、コーディングし、インターリーブして、コーディングされたデータを与える。
【００３９】
各データストリームに関する符号化データは、OFDM技法を使用してパイロットデータと多重化され得る。パイロットデータは、典型的には、公知の方法において処理され、チャネル応答を推定するために受信機システムにおいて使用され得る既知のデータパターンである。各データストリームに関する多重化されたパイロットデータおよび符号化データは、次いで、変調シンボルを提供するために、そのデータストリームのために選択された特定の変調方式(たとえば、BPSK、QSPK、M-PSK、またはM-QAM)に基づいて変調される(たとえば、シンボルマッピングされる)。各データストリームに関するデータレート、コーディング、および変調は、プロセッサ230によって実行される命令によって决定され得る。メモリ232は、データと、送信機システム210のためのソフトウェア/ファームウェアを記憶することができる。
【００４０】
すべてのデータストリームに関する変調シンボルは、次いで、TX MIMOプロセッサ220に提供され、TX MIMOプロセッサ220は、(たとえば、OFDMのために)変調シンボルをさらに処理することができる。TX MIMOプロセッサ220は、次いで、NTの変調シンボルストリームをNTの送信機(TMTR)222a〜222tに提供する。本開示のいくつかの態様では、TX MIMOプロセッサ220は、データストリームのシンボルと、シンボルの送信元のアンテナとにビームフォーミング重みを適用する。
【００４１】
各送信機222は、それぞれのシンボルストリームを受信し、1つまたは複数のアナログ信号を提供するために処理し、さらに、MIMOチャネルを介する送信に適した変調信号を提供するためにアナログ信号を調整(たとえば、増幅、フィルタリング、およびアップコンバート)する。送信機222a〜222tからのNTの変調信号は、次いで、それぞれ、NTのアンテナ224a〜224tから送信される。
【００４２】
受信機システム250において、送信された変調信号は、NRのアンテナ252a〜252rによって受信され得、各アンテナ252からの受信された信号は、それぞれの受信機(RCVR)254a〜254rに提供され得る。各受信機254は、それぞれの受信信号を調整(たとえば、フィルタリング、増幅、およびダウンコンバート)し、サンプルを提供するために調整された信号をデジタル化し、対応する「受信」シンボルストリームを提供するためにサンプルをさらに処理することができる。
【００４３】
RXデータプロセッサ260は、次いで、NRの受信機254からのNRの受信シンボルストリームを受信し、NTの「検出」シンボルストリームを提供するために、特定の受信機処理技法に基づいて処理する。RXデータプロセッサ260は、次いで、データストリームに関するトラフィックデータを復元するために、各検出シンボルストリームを復調し、デインターリーブし、復号する。RXデータプロセッサ260による処理は、送信機システム210におけるTX MIMOプロセッサ220およびTXデータプロセッサ214によって実行される処理を補足するものであり得る。
【００４４】
プロセッサ270は、どのプリコーディング行列を使用するのかを周期的に決定する。プロセッサ270は、行列インデックス部とランク値部とを備える逆方向リンクメッセージを作成する。メモリ272は、データと、受信機システム250のためのソフトウェア/ファームウェアとを記憶することができる。逆方向リンクメッセージは、通信リンクおよび/または受信データストリームに関する様々なタイプの情報を備えることができる。逆方向リンクメッセージは、次いで、データソース236からいくつかのデータストリームに関するトラフィックデータも受信するTXデータプロセッサ238によって処理され、変調器280によって変調され、送信機254a〜254rによって調整され、送信機システム210に送信し戻される。
【００４５】
送信機システム210において、受信機システム250からの変調信号は、アンテナ224によって受信され、受信機222によって調整され、復調器240によって復調され、受信機システム250によって送信された逆方向リンクメッセージを抽出するためにRXデータプロセッサ242によって処理される。その後、プロセッサ230が、ビームフォーミング重みを決定するためにどのプリコーディング行列を使用すべきかを決定し、その後、抽出されたメッセージを処理する。
【００４６】
アクセス端末250のプロセッサ270、RXデータプロセッサ260、TXデータプロセッサ238、もしくは他のプロセッサ/要素のうちのいずれか1つ、もしくはそれらの組合せ、および/または、アクセスポイント210のプロセッサ230、TX MIMOプロセッサ220、TXデータプロセッサ214、RXデータプロセッサ242、もしくは他のプロセッサ/要素、もしくはそれらの組合せは、以下で議論する本開示の特定の態様によるコネクションレスアクセスのための手順を実行するように構成され得る。一態様では、プロセッサ270、RXデータプロセッサ260、およびTXデータプロセッサ238のうちの少なくとも1つは、本明細書で説明するコネクションレスアクセスのためのランダムアクセスチャネル(RACH)手順を実行するためのメモリ272に記憶されたアルゴリズムを実行するように構成され得る。別の態様では、プロセッサ230、TX MIMOプロセッサ220、TXデータプロセッサ214、およびRXデータプロセッサ242のうちの少なくとも1つは、本明細書で説明するコネクションレスアクセスのためのRACH手順を実行するためのメモリ232に記憶されたアルゴリズムを実行するように構成され得る。
【００４７】
図3は、図1に示すワイヤレス通信システム内で用いられ得るワイヤレスデバイス302内で利用され得る様々な構成要素を示す。ワイヤレスデバイス302は、本明細書において説明される種々の方法を実施するように構成することができるデバイスの例である。ワイヤレスデバイス302は、基地局100、またはワイヤレスノード(たとえば、116、122、136、142)のいずれかであり得る。たとえば、ワイヤレスデバイス302は、図5において説明される動作500を実行するように構成され得る。
【００４８】
ワイヤレスデバイス302は、ワイヤレスデバイス302の動作を制御するプロセッサ304を含むことができる。プロセッサ304は、中央処理装置(CPU)と呼ばれることもある。読み出し専用メモリ(ROM)とランダムアクセスメモリ(RAM)の両方を含むことができるメモリ306は、命令およびデータをプロセッサ304に提供する。メモリ306の一部は、不揮発性ランダムアクセスメモリ(NVRAM)を含むこともできる。プロセッサ304は、典型的には、メモリ306内に記憶されたプログラム命令に基づいて論理演算と算術演算とを実行する。メモリ306内の命令は、たとえば、コネクションレスアクセス中にUEがデータを効率的に送信することを可能にするために、本明細書で説明する方法を実施するために実行可能であり得る。
【００４９】
ワイヤレスデバイス302はまた、ワイヤレスデバイス302と遠隔地との間でデータの送信および受信を可能にするために送信機310と受信機312とを含むことができるハウジング308を含むことができる。送信機310と受信機312とを組み合わせてトランシーバ314にし得る。単一または複数の送信アンテナ316を、ハウジング308に取り付け、トランシーバ314に電気的に結合し得る。ワイヤレスデバイス302は、複数の送信機、複数の受信機、および複数のトランシーバを含む場合もある(図示せず)。
【００５０】
ワイヤレスデバイス302はまた、トランシーバ314によって受信された信号のレベルを検出および定量化する試みにおいて使用され得る信号検出器318を含むことができる。信号検出器318は、総エネルギー、シンボルごとのサブキャリア当りのエネルギー、電力スペクトル密度、および他の信号などの信号を検出してもよい。ワイヤレスデバイス302は、信号を処理する際に使用できるデジタルシグナルプロセッサ(DSP)320を含んでもよい。
【００５１】
ワイヤレスデバイス302の様々な構成要素は、バスシステム322によって一緒に結合され得、バスシステム322は、データバスに加えて、電力バスと、制御信号バスと、ステータス信号バスとを含むことができる。プロセッサ304は、以下で議論する本開示の態様に従って、コネクションレスアクセスを実行するために、メモリ306内に記憶された命令にアクセスするように構成され得る。
【００５２】
例示的なフレキシブルページングおよびオンデマンドページインジケータ
上述したように、本開示の態様は、モバイルデバイスが「オンデマンド」でページングされることを可能にすることができるモバイルデバイスのフレキシブルページングのための技法を提供する。技法は、オンデマンドページングに関連して説明されているが、当業者は、技法が他のタイプのメッセージのオンデマンド送達に拡張され得ることを認識するであろう。
【００５３】
本明細書で提供される技法は、多くの時間、低電力状態(たとえば、長いスリープサイクル)にとどまり、データを送信または受信するためにまれにしか(たとえば、1日に数回のみ)ウェイクアップしないモノのインターネット(IoE)デバイスなどの低電力デバイスにとって、有利に使用され得る。
【００５４】
そのようなデバイスは、典型的には、長期間「ディープスリープ」省電力状態に入る(その間、トランシーバはオフにされる)。デバイスは、典型的には、デバイスタイミングドリフトのために(たとえば、「コールドスタート」と呼ばれる)ウェイクアップ時にネットワーク時間との同期を再獲得する。ディープスリープ持続時間が長いほど、タイミングドリフトは、より大きくなる可能性がある。
【００５５】
従来のセルラーページングチャネル設計は、デバイス(たとえば、図1に示すIoEデバイス136またはIoEデバイス142)に割り振られた「ページング機会」(PO)の概念に基づく。デバイスは、そのPOの間、ページを検出することが期待される(POのサイクルは、ページングサイクルと呼ばれる)。たとえば、(たとえば、ロングタームエボリューション(LTE)システムと同様の)UE ID検出が続くグループページングインジケータ、または、(たとえば、1×システムで行われるように)1ステップ検出のためにUEごとの検出されたページングインジケータを介する、検出が行われ得る様々な方法が存在する。正確なページングメカニズムには、バリエーションが存在する。たとえば、特定のLTE不連続受信(DRX)システムでは、最大ページングサイクルは、2.56秒のみである。マシン型通信(MTC:machine type communication)のための特定のシステム(たとえば、リリース12 LTEシステム)では、ユーザ機器(UE)がウェイクアップし、ページをチェックすべき時間を指定するトラッキングエリア更新(TAU:tracking area update)の使用を可能にするために、省電力モード(PSM:power saving mode)が導入される。これは、より長い有効なページングサイクルを容易にすることができる。
【００５６】
図4は、本開示の特定の態様による、ページング機会(PO)に基づく例示的なページング方式を示す送信タイムライン400である。図4に示すように、デバイスが十分に長い時間ディープスリープになっている場合、時間ドリフトは、かなり大きい可能性があり、デバイスは、ネットワークと同期するために、(たとえば、t3において生じる)割り振られたPOよりもはるかに早く(たとえば、t1において)ウェイクアップするようにプログラムされ得る。従来の方式では、典型的には大きい時間スケール(たとえば、6時間に1回)であるPOを目標とするために、フレームレベルまたはそれを超えるタイミング(たとえば、ハイパーフレームレベルタイミング)が使用され得る。言い換えれば、モバイルデバイスは、ブロードキャストメッセージを介してシステムフレーム番号(SFN:system frame number)を得るためにアウェイクしたままであり得る。
【００５７】
図4に示すように、しばしば、t1における同期ウェイクアップからt3におけるPOまで、大きな時間ギャップが存在する。したがって、デバイスがt2においてディープスリープに入るか、またはディープスリープに戻り、POのためにt3において次のウェイクアップを目標とすることが望ましい場合がある。時間ギャップが十分に長くない場合、デバイスは、アクティブのままであるか、または(たとえば、ディープスリープよりも高い電力レベルにおける)より軽いスリープモードに入ることができる。スリープモードに、およびスリープモードから移行する際に、いくらかのエネルギーオーバーヘッドが存在する場合がある。第2のウェイクアップサイクルの間(たとえば、時間t3〜t4の間)、デバイスは、ページ検出を実行する。ページが検出された場合、いくらかの遅延の後、デバイスは、(たとえば、時間t6と時間t7との間に)メッセージデータを受信するために、t5において接続手順を開始することができる。メッセージデータ前の遅延が十分に長い場合、デバイスは、スリープに入り、メッセージデータのための第3のウェイクアップサイクル(図示せず)を目標とすることができる。
【００５８】
バリエーションにかかわらず、従来の設計では、本質的にPO割り振りは、半静的であり、UEは、正確に割り振られた時間においてページを検出するためにアウェイクしていることが期待される。したがって、柔軟なページングのための技法が望ましい。
【００５９】
本開示の態様は、ページ検出のためのより柔軟なタイムラインを提供し、これは、ワイドエリアネットワーク(WAN)IoEアプリケーションに特に望ましい場合がある。典型的には、モバイル着信(MT:mobile terminated)データ待ち時間要件は、厳格ではない。たとえば、モバイルデバイスがデータを送信または受信するために6時間に1回ウェイクアップする(たとえば、6時間のページングサイクル)場合、アプリケーションの観点から、ウェイクアップが数秒または数分さえ離れていても、それは許容可能であり得る。
【００６０】
場合によっては、モバイル発信(MO:mobile originated)データは、(たとえば、共通リソースプールを共有するデバイスによる)非同期非直交アクセス方式に従って送達され得る。場合によっては、このタイプの方式は、(たまにしかブロードキャストされないシステムフレーム番号(SFN)を得るために長い待ち時間を必要とする場合がある)フレームレベルのタイミングを得ることを避けることができる。
【００６１】
本開示は、ページ検出のためのフレームレベル同期を得ることを避けることができる別の方式を提供する。本明細書で説明するフレキシブルページング手順は、1つまたは複数のウェイクアップサイクルを排除することができる。タイミング同期に対する要件を緩和することによって、場合によっては、フレームレベルまたはそれを超える同期の必要性が存在しない(たとえば、ブロードキャストSFNを待って取得する必要がない)場合がある。結果として、ページングサイクルは、より動的で適応的であり得る。
【００６２】
特定の態様によれば、タイミングを緩和することによって、ページング機会は、正確な時間の代わりに近傍時間になる場合がある。一例として、ページングサイクルが6時間である場合、デバイスは、実際のPOのプラスマイナスx秒以内にページをチェックすることが可能であり得る。モバイルデバイスがページングメッセージを受信および/またはポーリングすることを許可されるこの時間のウィンドウは、本明細書では「ページウィンドウ」と呼ばれる。一例では、このページウィンドウは、スリープの持続時間の間のデバイスの最悪の場合のタイミングドリフトよりも大きい場合がある。
【００６３】
図5〜図7は、それぞれ、モバイルデバイス、受信機(たとえば、基地局)、およびネットワークノード(たとえば、モビリティ管理エンティティ(MME:Mobility Management Entity))の観点からのオンデマンドページングのための例示的な動作を示す。
【００６４】
図5は、本開示の特定の態様による、オンデマンドページングのための例示的な動作500を示す。動作500は、たとえば、モバイルデバイス(たとえば、IoEデバイス136または142)によって実行され得る。動作500は、502において、ネットワーク時間を取得することによって開始することができる。504において、モバイルデバイスは、ネットワーク時間または内部タイマに基づいて、モバイルデバイスがページングメッセージを受信することができるページングウィンドウ内にモバイルデバイスがあることを決定することができる。506において、モバイルデバイスは、決定に応答して指示メッセージを送ることができる。
【００６５】
図6は、本開示の特定の態様による、モバイルデバイスのオンデマンドページングのための例示的な動作600を示す。動作600は、たとえば、基地局(たとえば、BS100)などのネットワークノードによって実行され得る。動作600は、602において、モバイルデバイスがページングメッセージを受信することができることを示す指示メッセージをモバイルデバイスから受信することによって開始する。604において、ネットワークノードは、指示メッセージに応答して、モバイルデバイスのためのページングメッセージがあるかどうかの指示を提供することができる。
【００６６】
図7は、本開示の特定の態様による、モバイルデバイスのオンデマンドページングのための例示的な動作700を示す。動作700は、たとえば、ネットワークノード(たとえば、MME)によって実行され得る。動作700は、702において、モバイルデバイスに送達されるべきページングメッセージを基地局に送ることによって開始する。704において、ネットワークノードは、モバイルデバイスからの問合せメッセージに応答して、ページングメッセージが送達されるべきかどうかの指示を提供することができる。
【００６７】
例示的なページウィンドウ
図8は、本開示の特定の態様による、例示的なオンデマンドページング方式を示す送信タイムライン800である。図8に示すように、(図4に示す送信タイムライン400で行われるように)POよりもずっと早く目標決定する代わりに、モバイルデバイスは、POを目標にすることができる。しかしながら、POのための特定の時間を目標とする代わりに、モバイルデバイスは、たとえば、図8に示すように時間t1〜t5であり得る(たとえば、POのプラスまたはマイナスx秒として定義される)ページウィンドウを目標とすることができる。したがって、タイミングドリフトがあっても、実際のウェイクアップ時間は、ページウィンドウ内のどこかにある可能性がある。たとえば、モバイルデバイスは、t1においてウェイクアップし、ネットワークタイミングを取得し(同期)、t3とt4との間でページをチェックすることができる。
【００６８】
特定の態様によれば、同期中、t1において、従来のページング方式とは異なり、モバイルデバイスは、非同期非直交アクセスをサポートするのに十分な(フレームレベルのタイミングに同期するよりも速い場合がある)シンボルレベルのタイミングを得るだけでよい。図8に示すように、ネットワークタイミングを得た後、モバイルデバイスは、t2において「ページ問合せ」または「指示メッセージ」を送信することができる。特定の態様によれば、ページ問合せ/指示メッセージは、MOデータと集約され得る。ページ問合せ/指示メッセージの受信機(たとえば、基地局)は、t3において、いくらかの小さい待ち時間内に、応答またはページインジケータ(PI)を用いてモバイルデバイスに応答することができる。
【００６９】
この応答/ページインジケータは、モバイルデバイスが監視しているはずのDLリソース上で搬送され得る。たとえば、モバイルデバイスは、DL許可を介してデバイスに割り振られたPDCCHリソースまたはPDSCHリソースを監視することができる。場合によっては、ページインジケータ要求は、「Txチャープ」信号であり得、応答は、「チャープ応答」信号であり得る。どちらの場合も、応答ページインジケータ(PI)がページを示さない場合、モバイルデバイスは、ディープスリープに戻ることができる。
【００７０】
代替的には、応答がページを示す場合、(たとえば、t5〜t6)遅延の後、モバイルデバイスは、(たとえば、t7において)接続手順を実行し、ページメッセージを受信するために、(たとえば、t6において)2度目にウェイクアップすることができる。したがって、送信タイムライン800は、モバイルデバイスのための2回のウェイクアップのみを含むことができ、それは、エネルギー効率を高めることができる。
【００７１】
遅延が十分に長い場合、モバイルデバイスは、ディープスリープに入り、別のウェイクアップサイクルの目標となる可能性がある。場合によっては、ページングメッセージに関連するデータのためのスケジューリング情報が応答とともに送られてもよく、または、ページングメッセージ自体に関連するデータさえ送られてもよい。
【００７２】
例示的なフレキシブルページングサイクル
ページングサイクルは、待ち時間によって駆動される場合がある。たとえば、モバイルデバイスは、最大許容待ち時間内にモバイル着信(MT)データの到着のために「ページング」されてもよく、その時間の間、MTデータは、送られるまでバッファ内に保持される。従来の方式では、MTデータのための最大待ち時間よりも小さい固定ページングサイクルは、データが最大許容待ち時間以内に到着することを保証することができる。
【００７３】
本開示の特定の態様によれば、最大許容待ち時間以内のMTデータの到着を保証する別の方法は、フレキシブルページングサイクルに関するオンデマンドページ指示を使用することであり得る。たとえば、モバイルは、最後の問合せからの時間期間が最大許容待ち時間以内にある限り、バッファリングエンティティ(たとえば、基地局)に「問い合わせる」ことができる。この方式は、デバイスがMOデータを送るためおよび/またはなにか他の理由のためにすでに周期的にウェイクアップしている場合、より効率的であり得、この周期性は、MTデータの最大待ち時間よりも頻繁である。
【００７４】
いくつかのWAN IoEユースケースでは、MTおよびMOサイクルは、同様の時間スケールであり得る。そのような場合、サイクルを整列させることがより効率的であり得る。MO手順の間、モバイルデバイスは、ページインジケータ(PI)を問い合わせることによってページ検出を実行することもできる。MOおよびMTウェイクアップのそのような整列は、省エネルギーをもたらすことができる。代替的には、デバイスは、(たとえば、タイマに基づいて、または他のタスクを実行するためにウェイクアップしているとき)MOデータなしでウェイクアップし、オンデマンドページ検出を実行することもできる。
【００７５】
図9は、本開示の特定の態様による、モバイルデバイスによるオンデマンドページングの例示的なフロー図900を示す。例示的な実装形態では、最大許容待ち時間を超えないことを保証するために、モバイルデバイスは、モバイルデバイスがページを問い合わせた最後のときからタイマを維持することができる。経過時間が最大許容待ち時間を超えた(または、最大許容待ち時間のいくらかのマージン内である)とき、モバイルデバイスは、ページを再び問い合わせることができる。
【００７６】
図9に示すように、902において、モバイルデバイスは、ディープスリープにある場合がある。904において、モバイルデバイスは、ウェイクアップすることができる。モバイルデバイスがタスク(たとえば、送信するMOデータ)を実行するためにウェイクアップした場合、906において、モバイルデバイスは、タスクを実行することができる。908において、モバイルデバイスは、(たとえば、以前のPIを送った後に開始されたタイマに基づいて)最後にPIが送られてからの時間がしきい値(たとえば、最大許容待ち時間)よりも大きいかどうかを決定することができる。そうである場合、モバイルデバイスは、たとえば、BSにページ問合せを送り、ページインジケータを受信することができる。代替的には、モバイルデバイスが、最大許容待ち時間のいくらかのマージン内の期間中に問合せを送らなかったためにウェイクアップする場合、モバイルデバイスは、910においてページウィンドウを目標としてウェイクアップし、912においてページ問合せを送り、ページインジケータを受信することができる。912においてページ問合せを送り、ページインジケータを受信した後、モバイルデバイスは、914において、ページが検出されたかどうかを決定することができる。ページが検出された場合、916において、モバイルデバイスは、ページメッセージデータを受信する手順を実行することができる。918において、ページメッセージデータを受信した後、914においてページが検出されなかった場合、または908において最後のPIが送られてからの時間がしきい値未満である場合、モバイルデバイスは、ディープスリープに戻ることができる。
【００７７】
図10は、本開示の特定の態様による、モバイルデバイスによるオンデマンドページングの別の例示的なフロー図1000を示す。例示的な実装形態(たとえば、「ハイブリッドモード」)では、最大許容待ち時間を超えないことを保証するために、モバイルデバイスがページを問い合わせるとき、次のPOが後のページングサイクルに更新され得る。次のPOまで、モバイルデバイスがどのような問合せも実行しない場合、モバイルデバイスは、次のPOにおいてそのページインジケータのためにウェイクアップする。特定の態様によれば、開始するために、モバイルデバイスは、初期POおよびページングサイクルを有することができる。次のPOおよびページングサイクルは、柔軟な動的/適応的ページングサイクルを容易にするために、現在のPOにおいて決定され得る。
【００７８】
図10に示すように、1002において、モバイルデバイスは、ディープスリープにある場合がある。1004において、モバイルデバイスは、ウェイクアップすることができる。1006において、モバイルデバイスは、モバイルデバイスをウェイクアップさせるタスク(たとえば、MOデータ)を実行することができる。1008において、モバイルデバイスは、最後の問合せからの経過時間がしきい値よりも大きいかどうかを決定することができる。代替的には、ウェイクアップが差し迫ったPOによるものであり、問合せが起こらなかった場合、モバイルデバイスは、1014においてフレームレベルの同期のために十分に早くウェイクアップすることができ、1016においてPOの間にページングインジケータを受信することができる。1016においてページングインジケータを受信した後、または1008において最後の問合せからの時間がしきい値よりも大きいことをモバイルデバイスが決定した場合、1010において、モバイルデバイスは、ページ問合せを送り、ページインジケータを受信することができる。1012において、次のPOが更新または決定され得る。1012において次のPOを更新または決定した後、1018において、モバイルデバイスは、ページインジケータがページを示すかどうかを決定することができる。ページインジケータがページを示す場合、1020において、モバイルデバイスは、接続手順を実行し、ページメッセージデータを受信することができる。1020においてページメッセージデータを受信した後、1018においてページインジケータがページを示さない場合、または1008において最後の問合せからの経過時間がしきい値よりも大きくないことをモバイルデバイスが決定した場合、1022において、モバイルデバイスは、ディープスリープに戻ることができる。
【００７９】
図9および図10を参照すると、最後の問合せからの最後の経過時間がしきい値よりも大きい状態のチェック(たとえば、ブロック908および1008)は、モバイルデバイスのウェイクアップサイクルが(たとえば、他のタスクのために)ページング要件よりもはるかに短い場合、モバイルデバイスがあまりにも頻繁にページを問い合わせるのを防ぐことができる。ページ問合せが無効である場合、図10における動作は、次のPOが適応的である潜在的な向上を伴う従来のページング方式に退歩することができる。
【００８０】
図10を参照すると、現在のPO中に次のPOを更新/決定すること(たとえば、ブロック1012)は、固定方式または動的方式に従うことができる。固定方式によれば、次のPOを更新するためのページングサイクルおよびルール、たとえば、将来のZ個のフレームは、(たとえば、構成に基づいて)両方の側で知られていてもよい。これを確立するために、両方の側の間で追加の調整が必要ない場合がある。動的方式によれば、次のPOまでの時間は、(たとえば、ヒューリスティックアルゴリズムに基づいて)適合され得、両方の側に対して決定および更新され得る。加えて、最大許容待ち時間が適応的にされる場合、図9に示す動作を適用することも可能である。
【００８１】
本明細書で提示するオンデマンドページング技法は、いくつかの利点を有することができる。たとえば、技法は、ウェイクアップサイクルを排除することができる。各ウェイクアップエネルギーオーバーヘッドは、かなり大きい場合があり、したがって、ウェイクアップサイクルを排除することは、かなりの省エネルギーをもたらす場合がある。ページ検出の大部分であり得るMTデータシナリオを有するシナリオについて、ウェイクアップの数は、2回のウェイクアップから1回のウェイクアップに減少する場合がある。加えて、上記で説明したように、オンデマンドページングを実行するモバイルデバイスは、フレームレベルまたはそれを超えるレベル(たとえば、ハイパーフレーム)の同期を必要としない場合がある。LTEにおいて、SFNは、物理ブロードキャストチャネル(PBCH:physical broadcast channel)であり、より大きいタイムスケールのフレーム番号がシステム情報ブロック(SIB:system information block)である場合があり、それらを取得するために追加のエネルギーおよび時間がかかる場合がある。
【００８２】
潜在的にページメッセージをバッファリングし、デバイスにページングインジケータを提供するエンティティは、「バッファリングエンティティ」と呼ばれる。セルラートポロジーでは、バッファリングエンティティは、基地局であるが、本明細書で説明する技法は、メッセージが基地局または異なるエンティティにおいてバッファリングされ得、別のエンティティが、たとえば、メッシュネットワーク内のノード間でメッセージを取り出すために通知され得る任意の無線アクセスネットワーク(RAN:radio access network)に適用可能である。ワイヤレスローカルエリアネットワーク(WLAN)コンテキストでは、バッファリングエンティティは、アクセスポイント(AP)であり得る。
【００８３】
セルラートポロジーでは、機能は、基地局とモバイル管理エンティティ(MME)との間でさらに分割される。ネットワークは、モバイルデバイスの正確な近接性を知ることができないが、トラッキングエリア(TA)を知ることができるので、ネットワークは、TA内のノードにページインジケータを送らせながら、MMEにおいて実際のページメッセージを保持する(たとえば、バッファリングする)ことができる。モバイルデバイスがページインジケータを検出し、(たとえば、接続手順を介して)ネットワークに接続すると、ネットワークは、MMEからのバッファリングされたページメッセージを実際のサービングノードに転送することができる。
【００８４】
バッファリングエンティティの観点からの動作を図6に示す。メッセージは、バッファリングエンティティ(たとえば、BS、AP、MME、または他のエンティティ)に到着することができる。規定された「ページウィンドウ」の間、モバイルデバイスからのページ問合せの受信時に、バッファリングエンティティは、ページングインジケータで応答することができる。POフォールバックが必要な場合、バッファリングエンティティは、POにおいてページングインジケータを送ることができる。モバイルデバイスがページインジケータの受信を確認し、ページングメッセージが存在するとき、バッファリングエンティティは、ページメッセージをデバイスに送る。ページメッセージがモバイルデバイスに送達されると、バッファリングエンティティは、受信されたメッセージを破棄することができる。モバイルデバイスがページウィンドウを取り損なった場合、バッファリングエンティティは、そのPOをスキップするレガシーデバイスと同様に、ページメッセージをドロップするためのなんらかのシステムレベルのタイムアウトまで、問合せが来たとき、ページングインジケータで応答することができる。
【００８５】
例示的な登録手順
本明細書で説明されるオンデマンドページングを可能にし、実装することは、様々なネットワークエンティティ間の対話を伴う場合がある。たとえば、セルラーコンテキストでは、ネットワークエンティティは、UE、基地局(たとえば、eNB)、およびMMEであり得る。
【００８６】
場合によっては、ページングを受信するために、UE(たとえば、モバイルデバイス)は、登録手順を実行することによって登録する(たとえば、IDLE状態においてトラッキングエリア更新(TAU:tracking area update)を実行する)ことができる。たとえば、LTEについて、サービングセルによってSIB1においてアドバタイズされた現在のTAもしくはセルIDが、最後のTAUにおいてUEがネットワークから受信したTAおよびセルIDのリストにない場合、または、周期的なTAUタイマが満了した場合、UEは、登録手順を実行することができる。UEはまた、他の無線アクセス技術(RAT)が利用可能になった場合、または、別のRAT(たとえば、WLANもしくはmmW RAT)に対して接続が確立された場合、登録手順を実行することができる。
【００８７】
LTEページングおよび登録について、以下のシナリオ、すなわち、サービングセルによってSIB1においてアドバタイズされた現在のTAもしくはセルIDが、最後のTAUにおいてUEがネットワークから受信したTAおよびセルIDのリストにない場合、または、周期的なTAUタイマが満了した場合、UEは、登録する(IDLE状態においてTAUを実行する)ことができる。IDEL状態におけるUEは、現在登録されているトラッキングエリア(TA)のすべてのセルにおいてページングされる。UEは、複数のTAにおいて、TAU更新受諾メッセージにおいて受信されたトラッキングエリアリストに基づいて登録され得る。
【００８８】
図11は、本開示の特定の態様による、オンデマンドページングのためのLTE登録手順を示す例示的なコールフロー1100である。アイドル状態におけるUEは、UEが現在登録されているTAのすべてのセルにおいてページングされ得る。UEは、複数のTAにおいて、TAU更新受諾メッセージにおいて受信されたトラックエリアリストに基づいて登録され得る。図11に示すように、なんらかのトリガ(たとえば、登録手順を実行するための上記で議論した理由のうちの1つ)の発生は、UE1102にTAUを開始させることができる。
【００８９】
1において、UE1102は、TAU要求メッセージ(たとえば、登録メッセージ)をeNB1104に送ることができる。オンデマンドページングを可能にするために、TAU要求メッセージは、追加の情報を含むために拡張され得る。たとえば、登録メッセージは、(たとえば、UEが直接ページングされるのか、もしくはページを問い合わせるのかを示す)オンデマンド指示情報および/または(たとえば、どれくらい長くページがバッファリングされる必要があるのかを決定するためにUEの同期のレベルを示すために)同期レベル情報を含むことができる。場合によっては、同期レベルおよびオンデマンド指示情報は、UE能力の一部であり得る。2において、eNB1104は、TAU要求メッセージをMME1106に転送することができる。3において、MME1106は、たとえば、TAU要求および接続に基づいて、UE1102に関してオンデマンドページングまたは通常のブロードキャストページングのどちらを実行するのかを決定することができる。加えて、オンデマンドページングについて、MME1106は、ページが存在するかどうかを決定するためにUEがウェイクアップするとき、UEがページを要求することができる時間ウィンドウを決定することができる。MME1106は、TAU更新許諾メッセージをeNB1104に送ることができる。4において、eNB1104は、オンデマンドページングを実行するのか、または通常のブロードキャストページングを受信するのかについての追加指示と、オンデマンドページングについては、ページが存在するかどうかを決定するためにウェイクアップするときにUEがページを要求することができる時間ウィンドウとともに、TAU更新許諾メッセージをUE1102に転送することができる。5において、UE1102は、(eNB1104がMME1106に転送することができる)TAU完了メッセージをeNB1104に返すことによって、TAU更新許諾を確認することができる。
【００９０】
例示的なUE能力手順
特定の態様によれば、UEは、TAU要求内でその情報を提供する(たとえば、図11のステップ1)代わりに、そのオンデマンド指示および同期レベル情報をUE能力手順の一部として提供することができる。
【００９１】
場合によっては、MMEは、eNB1204によって転送されたUE無線能力をS1-AP UE CAPABILITY INFO INDICATIONメッセージ内に格納することができる。たとえば、eNB1204は、ハンドオーバ完了後にUE能力を取得することができる。UE1202が接続を確立するとき、MMEは、eNB1204に送られるS1-AP:INITIAL CONTEXT SETUP REQUESTメッセージの一部として、最後に受信されたUE無線能力を含むことができる。ハンドオーバ準備中、ソースRANノードは、中断を最小限にするために、UEソースRAT能力と目標RAT能力の両方を目標RANノードに転送することができる。
【００９２】
図12は、本開示の特定の態様による、UE1202に対してeNB1204によって開始される無線リソース制御(RRC)UE能力処理手順1200を示す例示的なコールフローである。
【００９３】
図12に示すように、UEがUE能力処理手順1200の一部としてそのページング情報を提供することを可能にするために、1において、eNB1204は、ページング能力を含む要求を示すUECapabilityEnquiryメッセージをUE1202に送ることができる。2において、eNB1204からのUECapabilityEnquiryメッセージの受信時に、UE1202は、eNB1204にUECapabilityInformationメッセージを送る。特定の態様によれば、UECapabilityEnquiryがUE-Page-Capability要求を含む場合、UE1202は、UECapabilityInformationメッセージ内にUE-Page-Capability情報要素(IE:information element)を含めて応答する。UE-Page-Capability IEは、オンデマンド指示と同期レベル情報とを示すフィールドを含むことができる。
【００９４】
例示的なページング手順
IDLE状態にあるUEは、UEが現在登録されているTAのすべてのセルおよびセルIDにおいてページングされ得る。UEは、(たとえば、図11のステップ3において)TAU更新受諾メッセージにおいて受信されたTAおよびセルIDリストに基づいて、複数のTAおよびセルIDにおいて登録され得る。トラッキングエリアアイデンティティは、モバイルカントリーコード(MCC:Mobile Country Code)、モバイルネットワークコード(MNC:Mobile Network Code)、およびトラッキングエリアコード(TAC:Tracking Area Code)から構成され得る。場合によっては、UEが登録されたTAリスト内のすべてのTAおよびセルIDは、同じサービングMMEによってサービスされ得る。
【００９５】
図13は、本開示の特定の態様による、ページングおよびサービス要求手順を示す例示的なコールフロー1300である。図13に示すように、パケット/サービングゲートウェイ(P/SGW:packet/serving gateway)1308がダウンリンクデータを受信したとき、P/SGWは、ダウンリンクデータ通知メッセージをMME1306に送ることができる。MME1306がダウンリンクデータ通知メッセージを受信したとき、MME1306においてUプレーンページングがトリガされ得る。ダウンリンクデータ通知は、ページをトリガしたデータに関する割り振り/保持優先順位(ARP:allocation/retention priority)と進化型パケットシステム(EPS:evolved packet system)ベアラIDとを含むことができる。MME1306は、ページング再送信戦略、および特定のMME高負荷状態の間にページングメッセージをeNB1304に送るかどうかの決定などのオペレータポリシーに基づいてページングを制御するために、ダウンリンクデータ通知メッセージにおいて受信されたEPSベアラIDによって識別されるEPSベアラコンテキスト情報を使用することができる。
【００９６】
2において、MME1306は、ダウンリンクデータ通知メッセージの受信を確認するために、ダウンリンクデータ通知確認応答(ACK)メッセージをP/SGW1308に送ることができる。3において、MME1306は、ページングメッセージをeNB1304に送ることができる。UE1302を識別することに加えて、ページングメッセージは、UE1302がページ(オンデマンドページ)を要求するかどうか、または、ページメッセージがブロードキャストされる必要があるかどうか、および、オンデマンドページの場合、どれくらい長くeNB1304がページメッセージをバッファリングする必要があるのかを指示することができる。4aにおいて、eNB1304は、ページメッセージをUE1302に転送する(たとえば、ブロードキャストする)ことができる。5において、UE1302と、eNB1304と、MME1306との間でサービス要求手順が実行され得る。
【００９７】
図14は、本開示の特定の態様による、オンデマンドページングのためのページングおよびサービス要求手順を示す例示的なコールフロー1400である。
【００９８】
1において、MME1406がP/SGW1408からダウンリンクデータ通知メッセージを受信したとき、UプレーンページングがMME1406においてトリガされ得る。ダウンリンクデータ通知は、ページをトリガしたデータのためのARPおよびEPSベアラIDを含むことができる。MME1406は、ページング再送信戦略、特定のMME高負荷状態の間にeNB1404にページングメッセージを送るかどうかを決定すること、および、移動性のないローカルIPアクセスのために使用されるパケットデータネットワーク(PDN)接続において到着するトラフィックのためのページング最適化などのオペレータポリシーに基づいてページングを制御するために、ダウンリンクデータ通知メッセージにおいて受信されたEPSベアラIDによって識別されるEPSベアラコンテキスト情報を使用することができる。特定の態様によれば、MME1406においてサービスを識別するために、P/SGW1408からMME1406に送られたダウンリンクデータ通知メッセージは、UE1402がページングされているサービスを示す情報などの情報を含むことができる。たとえば、P/SGW1408は、サービスのアイデンティティを決定するためにディープパケットインスペクション(DPI:Deep Packet Inspection)を使用することができ、この情報をダウンリンクデータ通知メッセージにおいてMME1406に転送することができる。
【００９９】
2において、MME1406は、P/SGW1408からのダウンリンクデータ通知メッセージに、ダウンリンクデータ通知Ackメッセージを用いて応答することができる。3において、MME1406は、UE1402に関する既存のTAIリストに基づいてページングメッセージをeNB1404に送ることによって、UE1402をページングすることができる。特定の態様によれば、UE1402を識別することに加えて、ページングメッセージは、UE1402に関するオンデマンドページ指示およびバッファリング時間を含むように拡張され得る。4bにおいて、eNB1404は、ページングメッセージの受信時に、図13に示す通常のブロードキャストページ手順(たとえば、ステップ4a)またはオンデマンドページ手順のどちらを実行するのかを決定することができる。
【０１００】
通常のブロードキャスト手順(図13のステップ4a)について、eNB1404は、ページングメッセージの受信時に、ページングメッセージに含まれる情報に基づいてUE1402をページングする。代替的には、オンデマンドページ手順について、ページングメッセージの受信時に、4bにおいて、eNB1404は、ページングメッセージにおいて指定されるバッファリング時間に基づいてページングメッセージをバッファリングすることができる。4cにおいて、UE1402は、ウェイクアップし、その同期レベルおよびSFNによって定義されるページングウィンドウ内にあり、オンデマンドページの要求を送るかどうかを決定する。4dにおいて、オンデマンドページ要求に応答して、eNB1404は、オンデマンドページをUEにユニキャスト(または、オプションでブロードキャスト)で転送することができる。5において、UE1402と、eNB1404と、MME1406との間でサービス要求手順が実行され得る。
【０１０１】
本明細書で開示する方法は、説明した方法を達成するための1つまたは複数のステップまたはアクションを備える。方法ステップおよび/またはアクションは、特許請求の範囲から逸脱することなく互いに交換され得る。言い換えれば、ステップまたはアクションの特定の順序が明記されていない限り、特定のステップおよび/またはアクションの順序および/または使用は、特許請求の範囲を逸脱することなく変更され得る。
【０１０２】
本明細書で使用する場合、項目のリストのうちの「少なくとも1つ」を指す語句は、単一のメンバーを含むこれらの項目の任意の組合せを指す。一例として、「a、b、またはcのうちの少なくとも1つ」は、a、b、c、a-b、a-c、b-c、およびa-b-c、ならびに複数の同じ要素による任意の組合せ(たとえば、a-a、a-a-a、a-a-b、a-a-c、a-b-b、a-c-c、b-b、b-b-b、b-b-c、c-c、およびc-c-c、または、a、b、およびcの任意の他の順序)をカバーすることが意図される。
【０１０３】
本明細書で使用する場合、「決定する」という用語は、多種多様なアクションを包含する。たとえば、「判定する」ことは、計算すること、算出すること、処理すること、導出すること、調査すること、ルックアップすること(たとえば、テーブル、データベースまたは別のデータ構造内でルックアップすること)、確認することなどを含んでもよい。また、「判定する」ことは、受信すること(たとえば、情報を受信すること)、アクセスすること(たとえば、メモリ内のデータにアクセスすること)などを含み得る。また、「判定する」ことは、解決すること、選択すること、選ぶこと、確立することなどを含み得る。
【０１０４】
いくつかの場合には、デバイスは、フレームを実際に送信するのではなく、フレームを送信するように出力するインターフェースを有してもよい。たとえば、プロセッサは、バスインターフェースを介して、フレームを送信用のRFフロントエンドに出力してもよい。同様に、デバイスは、フレームを実際に受信するのではなく、別のデバイスから受信したフレームを取得するためのインターフェースを有してもよい。たとえば、プロセッサは、バスインターフェースを介して、フレームを送信用のRFフロントエンドから取得(または受信)してもよい。
【０１０５】
上記で説明した方法の様々な動作は、対応する機能を実行することができる任意の適切な手段によって実行され得る。手段は、限定はしないが、回路、特定用途向け集積回路(ASIC)、またはプロセッサを含む、種々のハードウェアおよび/またはソフトウェア構成要素および/またはモジュールを含んでもよい。
【０１０６】
たとえば、受信するための手段、取得するための手段、および/または得るための手段は、図2に示すアクセス端末250の受信機(たとえば、トランシーバ254a〜254rの受信機ユニット)および/もしくはアンテナ252a〜252r、もしくはアクセスポイント210の受信機(たとえば、トランシーバ222a〜222tの受信機ユニット)および/もしくはアンテナ224a〜224t、ならびに/または、図3に示すワイヤレスデバイス302の受信機312およびアンテナ316を備えることができる。送信するための手段、送るための手段、および/または提供するための手段は、図2に示すアクセス端末250の送信機(たとえば、トランシーバ254a〜254rの送信機ユニット)および/もしくはアクセス端末250のアンテナ252a〜252r、もしくはアクセス端末210の送信機(たとえば、トランシーバ222a〜222tの送信機ユニット)および/もしくはアンテナ224a〜224t、ならびに/または、図3に示すワイヤレスデバイス302の送信機310および/もしくはアンテナ316を備えることができる。
【０１０７】
取得するための手段、決定するための手段、送るための手段、終了するための手段、受信するための手段、返すための手段、実行するための手段、確立するための手段、提供するための手段、維持するための手段、送信するための手段、バッファリングするための手段、および/または送るための手段は、図2に示すアクセス端末250のRXデータプロセッサ260、TXデータプロセッサ238、および/もしくはプロセッサ270、もしくはアクセス端末210のTXデータプロセッサ214、RXデータプロセッサ242、TX MIMOプロセッサ220、および/もしくはプロセッサ230、ならびに/または、図3に示すワイヤレスデバイス302のプロセッサ304などの1つまたは複数のプロセッサを含むことができる処理システムを備えることができる。
【０１０８】
いくつかの態様によれば、そのような手段は、PHYヘッダにおいて即時の応答指示を提供するために上記で説明した様々なアルゴリズムを(たとえば、ハードウェア内で、またはソフトウェア命令を実行することによって)実施することによって、対応する機能を実行するように構成された処理システムによって実装されてもよい。
【０１０９】
本開示に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタロジック、ディスクリートハードウェア構成要素、または本明細書で説明した機能を実行するように設計されたそれらの任意の組合せを用いて実装または実行され得る。汎用プロセッサは、マイクロプロセッサであってもよいが、代替として、プロセッサは、任意の市販のプロセッサ、コントローラ、マイクロコントローラ、またはステートマシンであってもよい。プロセッサはまた、コンピューティングデバイスの組合せ、DSPとマイクロプロセッサとの組合せ、複数のマイクロプロセッサ、DSPコアと組み合わせた1つもしくは複数のマイクロプロセッサ、または任意の他のそのような構成として実装され得る。
【０１１０】
ハードウェアにおいて実装される場合、例示的なハードウェア構成は、ワイヤレスノード内の処理システムを備えることができる。処理システムは、バスアーキテクチャを用いて実装されてもよい。バスは、処理システムの特定の適用例および全体的な設計制約に応じて、任意の数の相互接続バスおよびブリッジを含んでもよい。バスは、プロセッサ、機械可読媒体、およびバスインターフェースを含む種々の回路を互いにリンクしてもよい。バスインターフェースは、バスを介して、とりわけ、処理システムにネットワークアダプタを接続するために使用されてもよい。ネットワークアダプタは、PHY層の信号処理機能を実装するために使用されてもよい。ユーザ端末120(図1参照)の場合において、ユーザインターフェース(たとえば、キーパッド、ディスプレイ、マウス、ジョイスティック、など)も、バスに接続されてもよい。バスは、当該技術分野において周知であり、したがって、これ以上説明することはない、タイミング源、周辺装置、電圧調整器、電力管理回路などの、様々な他の回路をリンクさせる場合もある。プロセッサは、1つまたは複数の汎用プロセッサおよび/または専用プロセッサを用いて実装されてもよい。例には、マイクロプロセッサ、マイクロコントローラ、DSPプロセッサ、およびソフトウェアを実行できる他の回路が含まれる。当業者は、特定のアプリケーションとシステム全体に課せられる全体的な設計制約とに応じて、処理システムに関する説明した機能を最良に実装する方法を認識するであろう。
【０１１１】
ソフトウェアにおいて実装される場合、機能は、コンピュータ可読媒体上の1つまたは複数の命令またはコードとして記憶または送信され得る。ソフトウェアは、ソフトウェア、ファームウェア、ミドルウェア、マイクロコード、ハードウェア記述言語、またはその他の名称で呼ばれるかどうかにかかわらず、命令、データ、またはそれらの任意の組合せを意味するように広く解釈されるものである。コンピュータ可読媒体は、ある場所から別の場所へのコンピュータプログラムの転送を容易にする任意の媒体を含む、コンピュータ記憶媒体とコンピュータ通信媒体との両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合され得る。代替として、記憶媒体は、プロセッサに一体化されてもよい。例として、機械可読媒体は、伝送ライン、データによって変調された搬送波、および/または、ワイヤレスノードとは別個に記憶された命令を有するコンピュータ可読記憶媒体を含むことができ、それらのすべては、バスインターフェースを介してプロセッサによってアクセスされ得る。代替的または追加的に、機械可読媒体またはその任意の部分は、キャッシュおよび/または汎用レジスタファイルと同様にプロセッサに統合されてよい。機械可読記憶媒体の例としては、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは他の任意の適切な記憶媒体、またはそれらの任意の組合せを含めてもよい。機械可読媒体はコンピュータプログラム製品内で具現化されてもよい。
【０１１２】
ソフトウェアモジュールは、単一の命令、または多くの命令を備えることができ、いくつかの異なるコードセグメントにわたって、異なるプログラム間で、および複数の記憶媒体にわたって分散され得る。コンピュータ可読媒体は、いくつかのソフトウェアモジュールを備えることができる。ソフトウェアモジュールは、プロセッサなどの装置によって実行されたときに、処理システムに様々な機能を実行させる命令を含む。ソフトウェアモジュールは、送信モジュールと受信モジュールとを含んでもよい。各ソフトウェアモジュールは、単一の記憶デバイス内に存在しても、または複数の記憶デバイスにわたって分散されてもよい。例として、トリガイベントが発生したときに、ソフトウェアモジュールは、ハードドライブからRAMにロードされてもよい。ソフトウェアモジュールの実行中、プロセッサは、アクセス速度を高めるために、命令のうちのいくつかをキャッシュにロードしてもよい。次いで、1つまたは複数のキャッシュラインは、プロセッサによって実行できるように汎用レジスタファイルにロードされてもよい。以下でソフトウェアモジュールの機能に言及する場合、そのような機能は、そのソフトウェアモジュールからの命令を実行するときにプロセッサによって実装されることが理解されよう。
【０１１３】
また、任意の接続は、適切にコンピュータ可読媒体と呼ばれる。たとえば、ソフトウェアが、同軸ケーブル、光ファイバケーブル、より対線、デジタル加入者線(DSL)、または、赤外線(IR)、無線、およびマイクロ波などのワイヤレス技術を使用して、ウェブサイト、サーバ、または他の遠隔ソースから送信される場合、同軸ケーブル、光ファイバケーブル、より対線、DSL、または、赤外線、無線、およびマイクロ波などのワイヤレス技術は、媒体の定義に含まれる。ディスク(disk)およびディスク(disc)は、本明細書で使用する場合、コンパクトディスク(CD)、レーザディスク、光ディスク、デジタル多用途ディスク(DVD)、フロッピーディスク、およびBlu-ray(登録商標)ディスクを含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を備えることができる。さらに、他の態様では、コンピュータ可読媒体は、一時的なコンピュータ可読媒体(たとえば、信号)を含んでもよい。上記の組合せもまた、コンピュータ可読媒体の範囲内に含まれるべきである。
【０１１４】
したがって、特定の態様は、本明細書で提示した動作を実行するためのコンピュータプログラム製品を備えることができる。たとえば、そのようなコンピュータプログラム製品は、その上に記憶された(および/または符号化された)命令を有するコンピュータ可読媒体を備えることができ、命令は、本明細書で説明した動作を実行するために1つまたは複数のプロセッサによって実行可能である。
【０１１５】
さらに、本明細書で説明した方法および技法を実行するためのモジュールおよび/または他の適切な手段は、適宜ユーザ端末および/または基地局によってダウンロードおよび/または他の方法で得られ得ることが理解されるべきである。たとえば、本明細書において説明する方法を実行するための手段の転送を容易にするために、そのようなデバイスはサーバに結合されてもよい。代替的には、本明細書において説明する様々な方法は、デバイスに記憶手段を結合するか、またはデバイスに記憶手段を設けたときに、ユーザ端末および/または基地局が様々な方法を取得することができるように、記憶手段(たとえば、RAM、ROM、コンパクトディスク(CD)またはフロッピーディスクなどの物理記憶媒体など)を介して実現することができる。その上、本明細書において説明される方法および技法をデバイスに実装するための任意の他の適切な技法を利用することができる。
【０１１６】
特許請求の範囲は、上記で例示した正確な構成および構成要素に限定されないことが理解されるべきである。様々な修正、変更、および変形が、特許請求の範囲から逸脱することなく、上記で説明した方法および装置の配置、動作、および詳細においてなされ得る。
【符号の説明】
【０１１７】
100  基地局(BS)
104  アンテナ
106  アンテナ
108  アンテナ
110  アンテナ
112  アンテナ
114  アンテナ
116  ワイヤレスノード
118  逆方向リンク、通信リンク
120  順方向リンク、通信リンク
122  ワイヤレスノード
124  逆方向リンク、通信リンク
126  順方向リンク、通信リンク
130  ワイヤレスノード
132  順方向リンク
134  逆方向リンク
136  IoEデバイス、ワイヤレスノード
138  逆方向リンク、通信リンク
140  順方向リンク、通信リンク
142  IoEデバイス、ワイヤレスノード
144  逆方向リンク、通信リンク
146  順方向リンク、通信リンク
200  多入力多出力(MIMO)システム
210  送信機システム
212  データソース
214  送信(TX)データプロセッサ
220  TX MIMOプロセッサ
222a〜222t  送信機(TMTR)
224a〜224t  アンテナ
230  プロセッサ
232  メモリ
236  データソース
240  復調器
242  RXデータプロセッサ
250  受信機システム
252a〜252r  アンテナ
254a〜254r  受信機(RCVR)
260  RXデータプロセッサ
270  プロセッサ
272  メモリ
280  変調器
302  ワイヤレスデバイス
304  プロセッサ
306  メモリ
308  ハウジング
310  送信機
312  受信機
314  トランシーバ
316  送信アンテナ
318  信号検出器
320  デジタルシグナルプロセッサ(DSP)
322  バスシステム
400  送信タイムライン
800  送信タイムライン
1100  コールフロー
1102  UE
1104  eNB
1106  MME
1200  無線リソース制御(RRC)UE能力処理手順
1202  UE
1204  eNB
1300  コールフロー
1302  UE
1304  eNB
1306  MME
1308  パケット/サービングゲートウェイ(P/SGW)
1400  コールフロー
1402  UE
1404  eNB
1406  MME
1408  P/SGW
【図１】
0006505861.tif 000002
【図２】
0006505861.tif 000003
【図３】
0006505861.tif 000004
【図４】
0006505861.tif 000005
【図５】
0006505861.tif 000006
【図６】
0006505861.tif 000007
【図７】
0006505861.tif 000008
【図８】
0006505861.tif 000009
【図９】
0006505861.tif 000010
【図１０】
0006505861.tif 000011
【図１１】
0006505861.tif 000012
【図１２】
0006505861.tif 000013
【図１３】
0006505861.tif 000014
【図１４】
0006505861.tif 000015